(57)【特許請求の範囲】
【請求項１】
液体供給源（１５）に接続される液体通路（１４）を有するガン本体（５）に、前記液体通路（１４）の下流端に通じるノズル（６）が被注入容器（１）に設けられる注入口（４）への挿入を可能として取付けられるとともに、前記液体通路（１４）の開閉を可能とした開閉弁（７）が設けられる液体注入ガンにおいて、
前記ノズル（６）には、前記液体通路（１４）の下流端に通じる第１通路部（２８ａ）と、第１通路部（２８ａ）よりも大径に形成されて第１通路部（２８ａ）の下流端に同軸に連なる第２通路部（２８ｂ）とを有する流通路（２８）が、前記被注入容器（１）への液体注入を可能として設けられ、前記ノズル（６）には、そのノズル（６）の外周壁を貫通して前記第２通路部（２８ｂ）の上流端内面に内端を開口せしめるとともに前記ノズル（６）の外面に外端を開口せしめた空気孔（２９）が、前記ノズル（６）の半径方向内方に向かうにつれて前記流通路（２８）内の液体流通方向（３０）に沿う下流側となるように傾斜して設けられることを特徴とする液体注入ガン。
【請求項２】
前記注入口（４）を形成して被注入容器（１）に設けられる注入筒（３）内への前記ノズル（６）の最大挿入長さが、該ノズル（６）の先端を被注入容器（１）内の最高液面レベルよりも下方に配置し得る値に設定され、且つ前記ノズル（６）を最大挿入長さまで挿入したときの前記空気孔（２９）の位置が、前記注入口（４）の上端より上方にあることを特徴とする請求項１記載の液体注入ガン。
【発明の詳細な説明】
【０００１】
【発明の属する技術分野】
本発明は、液体供給源に接続される液体通路を有するガン本体に、前記液体通路の下流端に通じるノズルが被注入容器に設けられる注入口への挿入を可能として取付けられるとともに、前記液体通路の開閉を可能とした開閉弁が設けられる液体注入ガンの改良に関する。
【０００２】
【従来の技術】
従来、たとえば自動変速機のミッションケース内に作動液を注入するための液体注入ガンにあっては、開閉弁を閉じた後に液体注入ガンを注入口から引き上げる際に液垂れが生じ、被注入容器や周囲が汚れることが多かった。これは開閉弁の少なくとも閉弁直前にノズルの先端内が液体で満たされていたときには、開閉弁の閉弁時にノズルの先端および開閉弁間にあった液体が落下することによってノズル内が減圧されることにより、ノズルの先端から速やかに液体が落下しないことに起因するものであり、実公平６−３８３７号公報で開示されたものでは、開閉弁の閉弁時にノズルの先端を液垂れ防止部材で閉じるとともに、残留液体を真空吸引することで液垂れの発生を防止するようにしている。
【０００３】
【発明が解決しようとする課題】
ところが上記実公平６−３８３７号公報で開示された技術によると、液垂れを防止するために、液体注入ガンに液垂れ防止部材を開閉可能に取付ける必要があるとともにその液垂れ防止部材を開閉駆動するための駆動手段が必要であり、さらに真空吸引手段を液体注入ガンに接続する必要がある等で、部品点数が多くなり、しかも構成が複雑となる。
【０００４】
本発明は、かかる事情に鑑みてなされたものであり、部品点数を少なくした簡単な構成で液垂れの発生を防止し得るようにした液体注入ガンを提供することを目的とする。
【０００５】
【課題を解決するための手段】
上記目的を達成するために、請求項１記載の発明は、液体供給源に接続される液体通路を有するガン本体に、前記液体通路の下流端に通じるノズルが被注入容器に設けられる注入口への挿入を可能として取付けられるとともに、前記液体通路の開閉を可能とした開閉弁が設けられる液体注入ガンにおいて、前記ノズルには、前記液体通路の下流端に通じる第１通路部と、第１通路部よりも大径に形成されて第１通路部の下流端に同軸に連なる第２通路部とを有する流通路が、前記被注入容器への液体注入を可能として設けられ、前記ノズルには、そのノズルの外周壁を貫通して前記第２通路部の上流端内面に内端を開口せしめるとともに前記ノズルの外面に外端を開口せしめた空気孔が、前記ノズルの半径方向内方に向かうにつれて前記流通路内の液体流通方向に沿う下流側となるように傾斜して設けられることを特徴とする。
【０００６】
かかる構成によれば、被液体注入容器への液体の注入を停止すべく開閉弁を閉じて液体注入ガンを注入口から引き上げる際には、開閉弁の少なくとも閉弁直前にノズルの先端内が液体で満たされていたとしても開閉弁の閉弁に伴ってノズルの先端および開閉弁間にあった液体が落下する際にノズル内が減圧されるのに応じて空気孔から外部の空気がノズル内に吸入されるので、ノズルを注入口から引き抜いたときに液垂れが生じることがない程度に速やかにノズルの先端から液体を落下させることができる。一方、液体の注入時においてノズル内の流通路を流れる液体は、第１通路部から第２通路部への流通時に第１通路部よりも大径である第２通路部の上流端内面から離れることになり、第２通路部の上流端部において第１通路部の下流端周囲には液体の流通による負圧が生じることになる。しかもノズルの外周壁を貫通する空気孔は、ノズルの半径方向内方に向かうにつれて液体流通方向に沿う下流側となるように傾斜して前記第２通路部の上流端に内端を開口させるものであるので、空気孔側に液体が流れることはなく、空気孔から液体が流出してしまうことはない。
【０００７】
また請求項２記載の発明は、上記請求項１記載の発明の構成に加えて、前記注入口を形成して被注入容器に設けられる注入筒内への前記ノズルの最大挿入長さが、該ノズルの先端を被注入容器内の最高液面レベルよりも下方に配置し得る値に設定され、且つ前記ノズルを最大挿入長さまで挿入したときの前記空気孔の位置が、前記注入口の上端より上方にあることを特徴とし、かかる構成によれば、ノズルの注入筒内への挿入長さを比較的長くして注入筒内への挿入状態でノズルすなわち液体注入ガンを固定的に保持することが可能となる。
【０００８】
【発明の実施の形態】
以下、本発明の実施の形態を、添付の図面に示した本発明の一実施例に基づいて説明する。
【０００９】
図１および図２は本発明の一実施例を示すものであり、図１は液体注入ガン２および被注入容器の一部の縦断側面図、図２はノズル内の液体の状態を説明するための図である。
【００１０】
先ず図１において、ミッションケース等の被注入容器１には液体注入ガン２によりミッションオイル等の液体が注入されるものであり、被注入容器１には、上下に延びる注入筒３が設けられており、上端を開口した注入口４が該注入筒３内に形成される。
【００１１】
液体注入ガン２は、前記注入口４から被注入容器１への液体の注入を可能として構成されるものであり、ガン本体５と、前記注入口４への挿入を可能としてガン本体５に取付けられるノズル６と、ノズル６への液体の供給・停止を制御するようにしてガン本体５に設けられる開閉弁７とを備える。
【００１２】
ガン本体５は、一端に閉塞部材８がねじ込まれる略円筒状のボディ９と、該ボディ９の他端に一端がねじ込まれてボディ９に同軸に連なる筒体１０と、該筒体１０の他端に一端がねじ込まれて筒体１０に同軸に連なるソケット１１と、該ソケット１１の他端に一端がねじ込まれる４５度のエルボ１２とで構成されるものであり、ボディ９の軸方向中間部には作業者が手で握ることを可能とした把持部９ａが一体に連設される。
【００１３】
ボディ９の中間部内面には、該ボディ９内を一端側および他端側に仕切る隔壁１３が一体に設けられており、この隔壁１３から前記エルボ１２までの間でガン本体５内に液体通路１４が形成される。
【００１４】
前記液体通路１４の上流端には、液体供給源１５に連なる液体供給ホース１６が流量計１７を介して接続される。すなわち流量計１７は円筒状に形成されており、一端に前記液体供給ホース１６を接続せしめて把持部９ａに隣接した流量計１７の他端が、液体通路１４の上流端に通じるようにしてボディ９にねじ込まれる。
【００１５】
開閉弁７は、筒体１０の他端側に液密に嵌合、固定されるリング状の弁座部材１８と、該弁座部材１８の前記ソケット１１とは反対側の端部内周に形成される弁座１９への着座を可能として筒体１０内に収納される弁体２０とから成るものであり、弁体２０の弁座９への着座により液体通路１４が遮断されることになる。
【００１６】
前記閉塞部材８および隔壁１３間でボディ９内には摺動孔２１が形成されており、隔壁１３との間に空気圧室２２を形成するピストン２３が摺動孔２１内に摺動可能に嵌合され、閉塞部材８およびピストン２３間には空気圧室２２の容積を縮少する側にピストン２３をばね付勢するばね２４が設けられる。
【００１７】
一端が前記ピストン２３に同軸に連結されるロッド２５が隔壁１３の中央部を液密にかつ軸方向移動可能に貫通しており、このロッド２５の他端に前記弁体２０が固着される。したがって空気圧室２２の空気圧変化に応じたピストン２３の軸方向移動に応じて弁体２０が軸方向に移動することになり、空気圧室２２の空気圧低下時にはばね２４のばね力で弁体２０が弁座９に着座して開閉弁７が閉弁し、空気圧室２２の空気圧増大時にはばね２４のばね力に抗して弁体２０が弁座から離座して開閉弁７が開弁することになる。
【００１８】
ボディ９の把持部９ａには、図示しない空気圧源からの前記空気圧室２２への加圧空気供給ならびに前記空気圧室２２からの空気圧解放を切換える切換弁２６が内蔵されており、この切換弁２６は、作業者が操作可能なボタン２７を押すことにより空気圧室２２の空気圧を解放して前記開閉弁７を閉弁することができる。
【００１９】
ノズル６は、注入筒３の上端全周に中間部を当接させ得るようにしたテーパ部６ａを中間部外面に有して円筒状に形成されるものであり、該ノズル６の一端がガン本体５におけるエルボ１２の他端にねじ込まれる。このノズル６の前記注入筒３内への最大挿入長さＬＭは、該ノズル６の先端を被注入容器１内の最高液面レベルＬよりも下方に配置し得る値に設定される。
【００２０】
前記ノズル６内には、被注入容器１への液体注入が可能である流通路２８が形成されるものであり、この流通路２８は、上流端を液体通路１４の下流端に同軸に連ならせた第１通路部２８ａと、第１通路部２８ａよりも大径に形成されて第１通路部２８ａの下流端に同軸に連なる第２通路部２８ｂと、第２通路部２８ｂよりも大径に形成されて第２通路部２８ｂの下流端に同軸に連なるとともに下流端をノズル６の先端で開口せしめた第３通路部２８ｃとから成る。
【００２１】
しかも前記ノズル６には、第２通路部２８ｂの上流端内面に内端を開口せしめるとともにノズル６の外面に外端を開口せしめた空気孔２９が、そのノズル６の外周壁を貫通して設けられており、この空気孔２９は、ノズル６の半径方向内方に向かうにつれて流通路２８内の液体流通方向３０に沿う下流側となるように傾斜して形成される。尚、この空気孔２９の位置は、ノズル６を最大挿入長さまで挿入したときの注入口４の上端より上方にあるように設定される。
【００２２】
次にこの実施例の作用について説明すると、開閉弁７を開弁した液体注入時には、図２（ａ）で示すように、ノズル６内の流通路２８を流れる液体は、第１通路部２８ａから第２通路部２８ｂへの流通時に第１通路部２８ａよりも大径である第２通路部２８ｂの上流端内面から離れるようにして流れ、第２通路部２８ｂの上流端部において第１通路部２８ａの下流端周囲には液体の流通による負圧が生じることになる。したがって空気孔２９がノズル６の外周壁を貫通しその内端が第２通路部２８ｂの上流端部内面に開口していても、該空気孔２９が、ノズル６の半径方向内方に向かうにつれて液体流通方向３０に沿う下流側となるように傾斜していることと相まって空気孔２９側に液体が流れることはなく、空気孔２９から液体が流出してしまうことはない。
【００２３】
被注入容器１内に最高液面レベルＬまで液体が注入されるのに応じて開閉弁７を閉じて、液体注入ガン２を引き上げる際には、開閉弁７の少なくとも閉弁直前にノズル６の先端内が液体で満たされていたとしても、図２（ｂ）で示すように、開閉弁７の閉弁に伴ってノズル６の先端および開閉弁７間にあった液体が落下する際にノズル６内が減圧されるのに応じて空気孔２９から外部の空気がノズル６内に吸入される。このためノズル６を注入口４から引き抜いたときに液垂れが生じることがない程度に速やかにノズル６の先端から液体を落下させることができる。
【００２４】
したがって液体注入時に空気孔２９から液体が流出することを回避しつつ液体注入ガン２の引き上げ時に液垂れが生じることを極力防止することができる。しかも液垂れ防止のためには、ノズル６内の流通路２８を段付きに形成するとともにノズル６に空気孔２９を設けるだけでよく、部品点数を少なくした簡単な構成で液垂れの発生を防止することができる。
【００２５】
また注入筒３内へのノズル６の最大挿入長さＬＭが、該ノズル６の先端を被注入容器１内の最高液面レベルＬよりも下方に配置し得る値に設定され、且つ前記ノズル６を最大挿入長さＬＭまで挿入したときの前記空気孔２９の位置が、前記注入口４の上端より上方にあるので、ノズル６の注入筒３内への挿入長さを比較的長くして注入筒３内への挿入状態でノズル６すなわち液体注入ガン２を固定的に保持することが可能となる。
【００２６】
以上、本発明の実施例を説明したが、本発明は上記実施例に限定されるものではなく、特許請求の範囲に記載された本発明を逸脱することなく種々の設計変更を行うことが可能である。
【００２７】
【発明の効果】
以上のように請求項１記載の発明によれば、開閉弁を閉弁して液体注入ノズルを引き上げる際の液垂れを、部品点数を少なくした簡単な構成で防止することができる。
【００２８】
また請求項２記載の発明によれば、ノズルの注入筒内への挿入長さを比較的長くして注入筒内への挿入状態で液体注入ガンを固定的に保持することが可能となる。
【図面の簡単な説明】
【図１】  液体注入ガンおよび被注入容器の一部の縦断側面図である。
【図２】  ノズル内の液体の状態を説明するための図である。
【符号の説明】
１・・・被注入容器
２・・・液体注入ガン
３・・・注入筒
４・・・注入口
５・・・ガン本体
６・・・ノズル
７・・・開閉弁
１４・・・液体通路
１５・・・液体供給源
２８・・・流通路
２８ａ・・・第１通路部
２８ｂ・・・第２通路部
２９・・・空気孔
３０・・・液体流通方向
【図１】
0004216977.tif 000002
【図２】
0004216977.tif 000003